(57)【要約】【課題】従来のハンクドラムよりも、操作性と演奏性と表現力を向上させたハンクドラムを提供する。【解決手段】ハンクドラムの打面４に、貫通したスリット状の穴２２によって形成された複数の片持ち梁状の鍵６４に、同じくスリット状の穴２２によって形成された副鍵６６を設ける。副鍵６６は鍵６４の内側からはみ出しているが、鍵６４の内側に少なくとも副鍵６６の基端部が設けられている事を特徴とする。尚、鍵６４と副鍵６６の先端部は互いに逆方向を向いている。また、演奏の際に鍵６６と副鍵６４を同時に打鍵する事が可能なので、容易に和音を奏でることができ、且つ鍵６４の先端部から副鍵６６の先端部までの間で、打鍵する場所によって無段階に音色の変化をつけることが可能である。【選択図】図２
2015227960.tif 000002
【特許請求の範囲】
【請求項１】
ハンクドラムの鍵の内側に副鍵を設け、前記副鍵の先端部は前記鍵と逆方向を向いていることを特徴とするハンクドラム。
【請求項２】
ハンクドラムの鍵に副鍵を設け、前記副鍵は前記鍵の内側からはみだしているが少なくとも前記副鍵の基端部が前記鍵の内側にあり、前記副鍵の先端部は前記鍵と逆方向を向いていることを特徴とする事を特徴とするハンクドラム。
【請求項３】
ハンクドラムの鍵の基端部外側付近に副鍵を設ける。前記副鍵の先端部は前記鍵と逆方向を向いており、前記副鍵の基端部と前記鍵の基端部は向かい合っていることを特徴とするハンクドラム。
【請求項４】
前記鍵と前記副鍵の音程を協和音に調律した事を特徴とする請求項１から請求項３に記載のハンクドラム。
【発明の詳細な説明】
【技術分野】
【０００１】
本発明はタングドラムの一種であるハンクドラムに好適に利用できるものである。
【背景技術】
【０００２】
旋律打楽器の一種であるタングドラムは木製のものが主流である。木箱などの空洞体に、平らな打面に貫通したスリット状の穴をもって、片持ち梁状の発音体である鍵を形成している。
【０００３】
タングドラムの一種であるハンクドラムはタンクドラムとも呼ばれる、多くはプロパンガスのタンクに、貫通したスリット状の穴をもって、片持ち梁状の発音体である鍵を形成したものをいう。片持ち梁状の鍵の長さを長くすると音高は低くなり、短くすると音高は高くなる。ハンクドラムは金属製のものが主流である。
【０００４】
従来の金属製のタングドラムは、箱型の空洞体の平らな打面に貫通したスリット状の穴をもって鍵を形成している。楽音を発するのが困難で主に噪音を発する。これは木材に比べ、金属は弾性率と固有音響抵抗が高いため、余韻が長く、打面全体の撓みが大きく、一つの鍵を打鍵しても全ての鍵と打面全体が共振共鳴して音を発するので、音が混ざってしまうためである。
【０００５】
この問題を解決したのが２００７年にDennis Havlenaにより考案された非特許文献１のハンクドラム、または、タンクドラムと呼ばれる金属製の割れ目太鼓である。調律を可能にするために考え出された形状は、プロパンガスのタンクなどの空洞体に貫通したスリット状の穴により片もち梁状の鍵を設けている。複数の鍵を設けるときは、鍵同士が直接隣り合わないこと、つまり各鍵を形成している貫通したスリット状の穴が繋がらないようにすることで、打面全体の強度が上がり撓み難くなり、打鍵した鍵以外の鍵に伝わる振動を抑制でき、各鍵を特定の音高に調律することが可能になっている。
【先行技術文献】
【非特許文献】
【０００６】
【非特許文献１】表題：Web-page of Dennis Havlena、掲載者：Dennis Havlena、検索年月日：２０１４年１月２２日、インターネットＵＲＬ：<dennishavlena.com>
【発明の概要】
【発明が解決しようとする課題】
【０００７】
上記したハンクドラムは楽音を発することが可能なものの、同じ旋律打楽器に分類される音板打楽器などの発音体と比べ、発音体自体から発せられる音の倍音成分が少ないので、発音体のどこを叩いても音色の変化に乏しく、表現力に劣る。そのためユーザーとリスナーに飽きられやすく、また和音を多用する演奏には不向きであるなどの問題があった。
【課題を解決するための手段】
【０００８】
上記の課題を解決するため、第１の発明はハンクドラムの打面に貫通したスリット状の穴により形成された鍵の内側に、同じく貫通したスリット状の穴により形成された副鍵を設ける。前記副鍵は前記鍵と同様、振動可能な自由端を有した片持ち梁状である。前記副鍵の先端部の向きは前記鍵の先端部の向きとは逆方向である。
【０００９】
第２の発明は、ハンクドラムの打面に貫通したスリット状の穴により形成された鍵に、同じく貫通したスリット状の穴により形成された副鍵を設ける。前記副鍵は前記鍵と同様、振動可能な自由端を有した片持ち梁状である。前記副鍵は前記鍵の内側からはみだしているが少なくとも前記副鍵の基端部が前記鍵の内側にあることを特徴とする。
【００１０】
第３の発明は、ハンクドラムの打面に貫通したスリット状の穴により形成された鍵の基端部外側付近に、同じく貫通したスリット状の穴により形成された副鍵を設ける。前記副鍵は前記鍵と同様、振動可能な自由端を有した片持ち梁状である。前記副鍵の先端部の向きは前記鍵の先端部の向きとは逆方向であり、鍵と副鍵の基端部は向かい合っている。
【００１１】
第４の発明は、第１から第３の発明において、前記副鍵と前記鍵の音程を協和音に調律する。
【００１２】
このような構成から成るハンクドラムは、鍵と副鍵を、片手のみでも、またはマレット一本でも同時に打鍵することが可能なので、容易に和音を奏でることができ、且つ、鍵の先端部から副鍵の先端部までの間で、打鍵する場所により無段階で音色の変化をつけることが可能なため、複雑な音色を表現することが容易になる。また、鍵と副鍵の二つの鍵は、どちらか一方を打鍵しても、打鍵されなかった鍵も僅かに共振共鳴することにより音を豊かにすることが可能である。
【００１３】
第２の発明は副鍵のみを打鍵する際に、鍵の内側からはみ出ている部分を叩くことにより、誤って鍵も一緒に叩いてしまうことを防ぐことができる。またさらに、鍵と副鍵の二つの鍵は、どちらか一方を打鍵しても、打鍵されなかった鍵も僅かに共振共鳴することにより音を豊かにすることが可能である。
【００１４】
第３の発明は、ハンクドラムの鍵、または副鍵のどちらか一方のみを打鍵する際に、誤って前記鍵、または前記副鍵を同時に叩いてしまうことを防ぐことができる。これら前記鍵と前記副鍵の二つの鍵はどちらか一方を打鍵しても、打鍵されなかった鍵も僅かに共振共鳴することにより音を豊かにすることが可能であり、また、片手で鍵と副鍵を同時に打鍵することが容易である。ただし、鍵と副鍵の基端部の間隔が離れすぎると、第１と第２の発明と比べ、マレット一本で前記鍵と前記副鍵を同時に打鍵することが困難になる。
【００１５】
第４の発明のハンクドラムの備えられた鍵は、鍵と副鍵の音程が協和音に調律されているため、耳当たりの良い豊かな音色と和音を奏でることが容易である。
【００１６】
尚、本発明を適用可能なハンクドラムの材料は、なんら金属に限定されるものではなく、金属以外の材料から成るハンクドラムにも同様の効果を発揮する。
【発明の効果】
【００１７】
本発明によって、ハンクドラムの操作性と演奏性と表現力が向上する。
【図面の簡単な説明】
【００１８】
【図１】本発明の第１の実施の形態を示す正面図である（ａ）。（ａ）のＤ−Ｄ線断面図である（ｂ）。
【図２】本発明の第２の実施の形態を示す正面図である（ａ）。（ａ）のＥ−Ｅ線断面図である（ｂ）。
【図３】本発明の第３の実施の形態を示す正面図である（ａ）。（ａ）のＦ−Ｆ線断面図である（ｂ）。
【発明を実施するための形態】
【００１９】
図１（ａ）は本発明をハンクドラムの発音体に適用した第１の実施の形態を示す正面図である。図１（ｂ）は図１（ａ）のＤ−Ｄ線断面図である。なお、従来のハンクドラムの構造と同一の部分は、以降その説明を適宣省略する。これらの図において、打面２に貫通したスリット状の穴２０によって形成された複数の片持ち梁状の鍵６０の内側に、同じく貫通したスリット状の穴２０によって設けられた複数の片持ち梁状の副鍵６２がある。副鍵６２の先端部の向きは、鍵６０の先端部の向きと反対方向を向いている。
【００２０】
本発明では、鍵の先端部を打鍵すると鍵の音が大きく発せられ、副鍵の音は僅かに聞こえる程度である。また同じく、副鍵の先端部を打鍵すると副鍵の音が大きく発せられ、鍵の音は僅かに聞こえる。副鍵の基端部を叩くと鍵の音と副鍵の音が同時に発せられ和音を奏でる。もちろん音はこの３種類のみではなく、鍵の先端部から副鍵の先端部までの間で無段階に２つの鍵の和音の音色が変化する。
【００２１】
本発明では、鍵と副鍵のどちらか一方の鍵の音高を基音とし、もう一方の鍵の音高を前記基音の奇数倍音または偶数倍音に調律するのが望ましい。鍵と副鍵の音程は協和音に調律するのが好ましいが、これらはなんら協和音に限定されるものではなく。あえて鍵と副鍵の音程を不協和音に調律し、唸りが発生するように調律しても構わない。もちろん、鍵と副鍵の音高を同一に調律しても構わない。この場合、鍵と副鍵を同じ音高に近づけることで音量を大きく感じられたり、唸りが発生したり、また余韻が短くなるなどの効果が得られる。
【００２２】
またさらに、鍵と副鍵の和音ではなくどちらか一方の音のみを打鍵により奏でたい場合は、発音させたくない方の鍵を指などで抑えて、発音させたい鍵を打鍵することにより可能である。
【００２３】
なお、本発明は鍵と副鍵を形成する貫通したスリット状の穴が繋がっては成らない。
【００２４】
図２（ａ）は本発明をハンクドラムの発音体に適用した第２の実施の形態を示す正面図である。図１（ｂ）は図１（ａ）のＥ−Ｅ線断面図である。これらの図において、打面４に貫通したスリット状の穴２２によって形成された複数の片持ち梁状の鍵６４の内側に、同じく貫通したスリット状の穴２２によって設けられた片持ち梁状の副鍵６６がある。副鍵６６の先端部から中央付近までが鍵６４の内側からはみ出ている。副鍵６６の先端部の向きは、鍵６４の先端部の向きと反対方向を向いている。
【００２５】
図３（ａ）は本発明の第３の実子形態を示す正面図である。図３（ｂ）は図３（ａ）のＦ−Ｆ線断面図である。これらの図において、打面６に貫通したスリット状の穴２４によって形成された複数の片持ち梁状の鍵６８の外側基端部に、同じく貫通したスリット状の穴２４によって設けられた片持ち梁状の副鍵７０がある。副鍵７０の先端部の向きは、鍵６８の先端部の向きと反対方向を向いており、また、鍵６８と副鍵７０の基端部は向かい合っている。鍵６８と副鍵７０の基端部の間隔が離れすぎると同時に打鍵するのが困難になるため約１ｃｍ以下が好ましい。
【００２６】
ただし、鍵と副鍵の基端部の強度を下げすぎないためにも、鍵と副鍵の基端部の幅を同じにしないようにするのが好ましい。
【符号の説明】
【００２７】
＜２、４、６打面＞＜２０、２２、２４スリット状の穴＞＜６０、６４、６８鍵＞＜６２、６６、７０副鍵＞
【図１】
2015227960.tif 000003
【図２】
2015227960.tif 000004
【図３】
2015227960.tif 000005